(57)【特許請求の範囲】
【請求項１】
無端状ゴム弾性体中に抗張体をその長手方向に埋設し、その内周面側に、ゴムクロ−ラの長手方向と直角に配置されるゴム突起との係合に供されるピンと、各ピンの中央に配置される軸受部と、この両者間を各ピン毎に連結する架橋部とよりなるスプロケットとの係合用のゴム突起を一定間隔を隔てて備え、外周面側にゴムラグを備えた内周駆動型ゴムクロ−ラであって、前記ゴム突起に対して、ゴムクロ−ラの幅方向で、かつ、ゴムクロ−ラの長手方向の中間に、スプロケットの横ずれ防止用のゴム角部をゴムクロ−ラの長手方向に点在させ、かかる両サイドのゴム角部のゴムクロ−ラの幅方向における間隔は、スプロケットのピンの両端が嵌り合う間隔としたことを特徴とする内周駆動型ゴムクロ−ラ。
【発明の詳細な説明】
【０００１】
【産業上の利用分野】
本発明は、農業用機械のみならず、建設機械や土木作業機械更にはレジャー用の走行機械に広く用いられている内周面駆動ゴムクローラに係るものである。
【０００２】
【従来の技術】
近年、ゴムクローラは農業用機械のみならず、建設機械や土木作業機械更にはレジャー用の走行機械に広く用いられている。本発明は、この種のうち通常ゴムクローラ中に芯金が埋設されていない、いわゆる内周面摩擦駆動タイプのゴムクローラの改良に係るものであって、図７はこのタイブの従来からあるゴムクローラ及びこれに用いるスプロケットの主要断面図である。
【０００３】
図にあって、２１はゴム弾性体よりなるゴムクローラ、２２はこの長手方向に埋設されたスチールコードである。そして、無端状のゴムクローラ２１の内周面の中央に一定間隔をもって断続的に形成されたゴム突起２３が形成されている。このゴム突起２３に対し、例示したスプロケット３０は左右一対の円盤３１、３１に対してその周縁間にピン３２、３２…が張架され、更にこの円盤３１、３１の縁端部にフランジ３３、３３を備えたいわゆるかご型のスプロケットである。そして、ピン３２とゴム突起２３とが係合して駆動カを伝達すると共に、フランジ３３がゴム突起２３を左右より挟むことによって左右方向への移動を防止して脱輪の発生を阻止することとなっていた。
【０００４】
【発明が解決しようとする課題】
上記したような内周面に形成したゴム突起２３を利用する駆動方式のゴムクローラにも改良しなくてなならない点もあり、その１つはピン３２とフランジ３３との周長の差による問題がある。即ち、スプロケット３０の回転の中心からの距離がフランジ３３の距離（ａ）よりピン３２の距離（ｂ）の方が小さく設計されているのが一般的であり、このため、両部における周長差が生ずることとなる。言い換えれば、ピン３２の回転速度よりもフランジ３３の回転速度の方が早いため、ピン３２がゴム突起２３と係合した瞬間にフランジ３３にはスプロケット３０の回転方向と反対の力が加わり、これが常時繰り返されるためにゴムクローラ内周面の摩擦の原因となっていた。
【０００５】
そして、このかご型スプロケット３０の構造は泥や石がピン３２の内部に詰まり易く、ピン３２とゴム突起２３との係合に支障があった。
【０００６】
本発明は、以上のような現状に鑑みて鋭意開発を行いその問題点を解消したゴムクローラを提供しようとするものであり、実質的にフランジ３３をなくして周長差の問題を解決し、更に、泥詰りや脱輪の発生を低減しようとするにある。
【０００７】
【課題を解決するための手段】
本発明は、無端状ゴム弾性体中に抗張体をその長手方向に埋設し、その内周面側に、ゴムクロ−ラの長手方向と直角に配置されるゴム突起との係合に供されるピンと、各ピンの中央に配置される軸受部と、この両者間を各ピン毎に連結する架橋部とよりなるスプロケットとの係合用のゴム突起を一定間隔を隔てて備え、外周面側にゴムラグを備えた内周駆動型ゴムクロ−ラであって、前記ゴム突起に対して、ゴムクロ−ラの幅方向で、かつ、ゴムクロ−ラの長手方向の中間に、スプロケットの横ずれ防止用のゴム角部をゴムクロ−ラの長手方向に点在させ、かかる両サイドのゴム角部のゴムクロ−ラの幅方向における間隔は、スプロケットのピンの両端が嵌り合う間隔としたことを特徴とするものである。
【０００８】
【作用】
本発明はゴムクローラとスプロケットとの係合に際して、ゴム突起と係合するピンをその左右より横ずれ防止用の角部を形成したものであり、このため、スプロケットの横ずれを阻止できたもので、ゴム突起とスプロケットとの噛み合い不良を防止できると共に、脱輪の防止効果を合わせ奏するものである。
【０００９】
本発明のゴムクローラに好んで用いられるスプロケットは、ゴムクロ−ラの長手方向と直角に配置されるゴム突起との係合に供されるピンと、各ピンの中央に配置される軸受部と、この両者間を各ピン毎に連結する架橋部とよりなる構造であって、駆動に際して摩擦面が存在せず、ピンとゴム突起との係合のみのものがよく、これによれば前述したような周長差による不具合が解消でき、ゴムクローラ内周面の磨耗も効果的に阻止できる。更に、このスプロケットはゴムクローラのゴム突起と係合する部分だけで構成され、泥詰り等が起こりにくいように左右の開口部が極力大きいものがよい。尚、本発明のスプロケットは金属製のものでよいが、射出成形による合成樹脂製のものが製造上及びコスト上も有利である。合成樹脂としては、ポリエチレン樹脂やポリアミド樹脂が例示できる。
【００１０】
【実施例】
以下、本発明のゴムクローラ及びスプロケットを図面をもって更に詳細に説明する。図１は本発明のゴムクローラの内周面側平面図、図２は外周面側平面図、図３は図２におけるＢ−Ｂ線での断面図である。図中、１はゴム弾性体からなるゴムクローラであり、図１にあって上下に連続して無端とされている。２はこのゴムクローラ１中に埋設される抗張体としてのスチールコード、３はゴムクローラ１の外周面に形成されたゴムラグである。かかるゴムラグ３は図例では左右に振り分け状とされ、しかも千鳥状かつハ字状に配置されているがこれに限定されないことは勿論であり、例えば左右一直線状のゴムラグであってもよい。
【００１１】
さて、４はゴムクローラ１の内周面の中央にその長手方向に一定間隔を隔てて形成されたゴム突起であり、このゴム突起４は後述するスプロケットと係合して駆動力が伝達されることとなる。尚、このゴム突起４に対してゴムクローラ１の外周面側に凹部５が形成されてゴムクローラ全体としての軽量化を図っている。このゴム突起４の形状は特に限定されるものではないが、好ましくは図例のようにゴムクローラ１の長手方向の断面が略正三角形状のものがよく、ゴムクローラ１の幅方向にやや長めとされるのが一般的である。
【００１２】
このゴムクローラ１の内周面にはその長手方向に沿って、ゴム突起４をはさんで断面台形のゴム角部６１、６２が点在して隆起形成されている。このゴム角部６１、６２は、ゴム突起４に対して長手方向の中間に左右に振分け状に一対づつ点在配置した例であり、ゴム角部６１、６２の幅方向の間隔は後述するスプロケットピン１１の両先端を左右から支えるためにピン１１の両端が嵌り合う間隔とするものである。これによって、走行時にスプロケット１０が横ずれするのを阻止するものである。
【００１３】
図４は本発明に用いられるスプロケット１０の側面図であり、図５は図４のＣ−Ｃ線での断面図である。図中、１１は前記したゴム突起４と係合するピンであり、ゴム突起４と接触して駆動力を伝達する部位である。１２は中央に配置された軸受部であり、このピン１１と軸受部１２とは架橋部１３にて連結されている。この架橋部１３は少なくともピン１１より外周側にはみ出すことはなく、このためゴムクローラとの接触は全く生じない。しかも左右方向が大きく解放されているため、ここに泥や石が入り込んでも直ちに放り出されるという仕組みになつている。
【００１４】
さて、図６はこのピン１１とゴム突起４及びゴム角部６１、６２との関係のみを取り出して示したものであるが、駆動カを伝達するためピン１１が突起４と係合し、しかもこのピン１１の左右端がゴム角部６１、６２にはさまれる状態で駆動されることとなっている。従って、従来のこの種のゴムクローラ及びスプロケットとの関係と異なり、ゴムクローラ１の内周面に異常な摩擦を生じることがなくなり、しかもスプロケットを左右からゴム角部にてはさんだ状態となるために、スプロケットとクローラとの左右方向への相対的な横ずれは生ずることがなくなったものである。
【００１５】
【発明の効果】
本発明のゴムクローラは以上の構造を有しているため、ゴムクローラの耐久性の向上が図れると共に脱輪の発生も生じないという特徴を有するものであり、工業上極めて有利なものとなる。
【図面の簡単な説明】
【図１】  図１は本発明のゴムクローラの内周面側平面図である。
【図２】  図２は図１のゴムクローラの外周面側平面図である。
【図３】  図３は図２におけるゴムクローラのＢ−Ｂ線での断面図である。
【図４】  図４は本発明に用いられるスプロケットの側面図である。
【図５】  図５は図４のスプロケットのＣ−Ｃ線での断面図である。
【図６】  図６は本発明のゴムクローラの角部とスプロケットとの係合を示す部分拡大図である。
【図７】  図７は従来のゴムクローラとスプロケットとの係合を示す断面図である。
【符号の説明】
１‥‥ゴムクローラ、
２‥‥スチールコード、
３‥‥ゴムラグ、
４‥‥ゴム突起、
５‥‥凹部、
１０‥‥スプロケット、
１１‥‥ピン、
１２‥‥軸受都、
１３‥‥架橋部、
６１、６２‥‥ゴム角部。
【図１】
0003805402.tif 000002
【図２】
0003805402.tif 000003
【図３】
0003805402.tif 000004
【図４】
0003805402.tif 000005
【図５】
0003805402.tif 000006
【図６】
0003805402.tif 000007
【図７】
0003805402.tif 000008